(57)【要約】      （修正有）【課題】上下接合、垂直接合、水平接合時に接合が行われる方向ではない横方向から外力が作用しても、横方向に押される現象を完全に防止することができる磁石が内蔵されるブロック玩具におけるブロック間の接合のための表面構造を提供する。【解決手段】磁石が内蔵されるブロック玩具のブロック表面に突起と溝形態の構造を形成して、ブロック間の上下接合、垂直接合、水平接合において、各ブロックの表面に形成された突起と溝形態の構造が自然に互いに噛み合いながら、各ブロック間に安定的な接合が行われるようにする。【選択図】図１
2017119088.tif 000002
【特許請求の範囲】
【請求項１】
ブロック玩具のブロック（１００）として、上部フレーム（１０）と下部フレーム（２０）が結合されて１つのブロックに作られて中間部分に中空がある正四角形のパネル形状を有し、上部フレーム（１０）と下部フレーム（２０）の４つの辺の内部中央には磁石の回転駆動のための内部空間が確保された磁石装着溝が形成され、１つの円柱形の磁石、または２つの円柱形の磁石がフレーム（１０、２０）の縁部の長手方向と水平するように内蔵されるブロックにおいて、
前記上部フレーム（１０）の上面（１１）と下部フレーム（２０）の下面（２１）の縁部には、一定の間隔を離隔して水平突起（３０）と挿入溝（３１）が交互に縁部と水平な方向に備えられて、前記１つのブロックの上部フレーム（１０）の上面（１１）の上に他のブロック１つを載せると、下側に位置するブロックの上部フレーム（１０）の上面（１１）の水平突起（３０）がその上に置かれた他のブロックの下部フレーム（２０）の下面（２１）の挿入溝（３１）に挿入されて、下側に位置するブロックの上部フレーム（１０）の挿入溝（３１）には、その上に置かれた他のブロックの下部フレーム（２０）の下面（２１）の水平突起（３０）が挟まれるように形成されて、
前記上部フレーム（１０）の縁部から延びて４５°角度下方に上部傾斜面（４０）が形成されて、前記上部傾斜面（４０）で下向きに延びて上部垂直面（５０）が形成され、
前記下部フレーム（２０）の縁部から延びて４５°角度上方に下部傾斜面（６０）が形成されて、前記下部傾斜面（６０）から上向きに延びて下部垂直面（７０）が形成され、
前記上部傾斜面（４０）には、中央から少し左側に偏った位置を基準として所定の間隔を置いて、左側には上、中、下の３段で係合部（４１）が形成され、右側には上、中、下の３段で係合溝（４２）が係合部（４１）より少し低くかつ長く形成されて、
前記下部傾斜面（６０）には、中央から少し右側に偏った位置を基準として所定の間隔を置いて、左側には上、中、下の３段で係合溝（６２）が形成され、右側には上、中、下の３段で係合部（６１）が係合溝（６２）より少し高くかつ短く形成されて、
前記上部垂直面（５０）には、中央から少し左側に偏った位置を基準として所定の間隔を置いて、左側には係合部（５１）が形成され、右側には係合溝（５２）が係合部（５１）より少し低くかつ長く形成されて、下部垂直面（７０）には、中央から少し右側に偏った位置を基準として所定間隔を置いて、左側には係合溝（７２）が形成され、右側には係合部（７１）が係合溝（７２）より少し高くかつ短く形成されて、
前記上部傾斜面（４０）右側の係合溝（４２）と上部垂直面（５０）右側の係合溝（５２）中間部分には上部突出部（８０）が係合溝（４２、５２）に垂直方向に係合部（４１、５１、６１、７１）の高さより高く形成されて、上部傾斜面（４０）左側の係合部（４１）と上部垂直面（５０）左側の係合部（５１）中間部分には、係合部（４１、５１）に垂直方向に上部挿入溝（９０）が形成されて、下部傾斜面（６０）左側の係合溝（６２）と下部垂直面（７０）左側の係合溝（７２）中間部分には、下部突出部（８１）が係合溝（６２、７２）に垂直方向に係合部（４１、５１、６１、７１）の高さより高く形成されて、下部傾斜面（６０）右側の係合部（６１）と下部垂直面（７０）右側の係合部（７１）中間部分には、係合部（６１、７１）に垂直方向に下部挿入溝（９１）が形成されることを特徴とする、磁石が内蔵されるブロック玩具のブロック間の接合のための表面構造。
【請求項２】
前記上部フレーム（１０）と下部フレーム（２０）が結合されたブロック（１００）は、横・縦それぞれ６０〜７０ｍｍ、厚さ６〜９ｍｍに形成されることを特徴とする、請求項１に記載の磁石が内蔵されるブロック玩具のブロック間の接合のための表面構造。
【請求項３】
前記水平突起（３０）と挿入溝（３１）の深さは０．８〜１．０ｍｍで同一に形成されることを特徴とする、請求項１に記載の磁石が内蔵されるブロック玩具のブロック間の接合のための表面構造。
【請求項４】
前記上、下部傾斜面（４０、６０）に形成される係合溝（４２、６２）の各溝の深さと前記係合部（４１、６１）の各部の高さは、それぞれ０．２５〜０．３５ｍｍに形成されることを特徴とする、請求項１に記載の磁石が内蔵されるブロック玩具のブロック間の接合のための表面構造。
【請求項５】
前記上、下部垂直面（５０、７０）に形成される係合溝（５２、７２）の深さと前記係合部（５１、７１）の高さは、それぞれ０．４〜０．６ｍｍに形成されることを特徴とする、請求項１に記載の磁石が内蔵されるブロック玩具のブロック間の接合のための表面構造。
【請求項６】
前記突出部（８０、８１）の高さと挿入溝（９０、９１）の深さは、０．８〜１．０ｍｍに形成されることを特徴とする、請求項１に記載の磁石が内蔵されるブロック玩具のブロック間の接合のための表面構造。
【発明の詳細な説明】
【技術分野】
【０００１】
本発明は、磁石が内蔵されるブロック玩具のブロック間の接合のための表面構造に関し、より詳細には、磁石が内蔵されるブロック玩具のブロック表面に突起と溝形態の構造を形成して、ブロック間の上下接合、垂直接合、水平接合において、各ブロックの表面に形成された突起と溝形態の構造が自然に互いに噛み合いながら、各ブロック間に安定的な接合が行われるようにする磁石が内蔵されるブロック玩具と、そのブロック玩具のブロック間の接合のための表面構造に関するもので、特に上下接合、垂直接合、水平接合時の接合が行われる方向ではない横方向から外力が作用しても横方向に押される現象を完全に防止することができる表面構造に関する。
【背景技術】
【０００２】
主にプラスチック製の小さなブロックを組み立てて、望む立体形状を作って楽しむ玩具をブロック玩具というが、ブロック玩具には、多数個のブロックがセット形態で構成されている。
【０００３】
ブロック玩具には、各ブロックに形成された突起や溝などを互いに嵌め合わせる結合構造を有する組み立て式ブロック玩具が市販されているが、組み立て時に各ブロックの突起と溝の位置をいちいち一致させて力を入れて嵌め合わせるべき、一旦組み立てられると、他の立体形状を作るために、各ブロックを分解しにくい不便さがある。
【０００４】
一方、ブロック内部に磁石を装着して各ブロックを互いに近づきさえすれば、磁力によってブロック間の容易な接合が行われるようにする磁石が内蔵されたブロック玩具も市販されているが、磁石が内蔵されたブロック玩具は、磁石を利用することによって、便利にブロックを互いに接合させることができ、組み立て後の分解も容易な利点はあるが、ほとんどのブロックの縁部がラウンディング処理されて、各ブロック間の接合が頑丈ではなく、立体形状で組み立てられた後、僅かな衝撃が加えられても、その形状が崩れることになる欠点がある。
【０００５】
上記のような問題点を解決するために、本発明の発明者は、特許文献１の「磁石が内蔵されたブロック玩具のブロック間の接合のための表面構造」を発明している。
【０００６】
前記発明は、ブロックの縁部がラウンディング処理されたことに比べると、ブロック間の接合が非常に頑丈で、垂直方向に最大圧縮荷重が著しく増加する効果があるが、上下接合、垂直接合、水平接合時には接合が行われる方向ではない横方向から外力が作用すると、横方向に押され易くなる現象が発生した。
【０００７】
発明者は、ブロック間に安定的な接合が行われるようにする表面構造について研究を続けた結果、接合が行われる方向だけでなく、接合が行われる方向ではない横方向から外力が作用しても、横方向に全く押されずにブロック間で安定的な接合が行われることができる表面構造を開発することに至った。
【先行技術文献】
【特許文献】
【０００８】
【特許文献１】大韓民国登録実用新案第４７５１９８号
【発明の概要】
【発明が解決しようとする課題】
【０００９】
本発明は、磁石が内蔵されるブロック玩具のブロック表面に突起と溝形態の構造を形成して、ブロック間の上下接合、垂直接合、水平接合において、各ブロックの表面に形成された突起や溝形態の構造が自然に相互噛み合いながら、各ブロック間で安定的な接合が行われるようにする、磁石が内蔵されるブロック玩具とそのブロック玩具のブロック間の接合のための表面構造を提供するためのもので、特に上下接合、垂直接合、水平接合時に接合が行われる方向ではない横方向から外力が作用しても、横方向に押される現象を完全に防止することができる表面構造を提供するものである。
【課題を解決するための手段】
【００１０】
本発明による、磁石が内蔵されるブロック玩具のブロック間の接合のための表面構造は、ブロック玩具のブロック１００として、上部フレーム１０と下部フレーム２０が結合されて１つのブロックになり、中央部分に中空がある正四角形のパネル形状を有し、上部フレーム１０と下部フレーム２０の４つの辺の内部中央には、磁石の回転駆動のための内部空間が確保された磁石装着溝が形成され、１つの円柱形の磁石または２つの円柱形の磁石が一列にフレーム１０、２０の縁部の長手方向と平行で内蔵されるブロックにおいて、前記上部フレーム１０の上面１１と下部フレーム２０の下面２１の縁部には、一定の間隔で離隔して水平突起３０と挿入溝３１が交互に縁部と平行な方向に備えられ、前記１つのブロックの上部フレーム１０の上面１１の上に他のブロック１つを置くと、下側に位置するブロックの上部フレーム１０の上面１１の水平突起３０がその上に置かれた他のブロックの下部フレーム２０の下面２１の挿入溝３１に嵌合され、下側に位置するブロックの上部フレーム１０の挿入溝３１には、その上に置かれた他のブロックの下部フレーム２０の下面２１の水平突起３０が嵌合されるように形成されて、前記上部フレーム１０の縁部から延びて４５°角度下方に上部傾斜面４０が形成されて、前記上部傾斜面４０から下方に延びて上部垂直面５０が形成されて、前記下部フレーム２０の縁部から延びて４５°角度上方に下部傾斜面６０が形成されて、前記下部傾斜面６０から上向きに延びて下部垂直面７０が形成されて、前記上部傾斜面４０には中央から少し左側に偏った位置を基準として所定の間隔を置いて、左側には上、中、下の３段で係合部４１が形成され、右側には上、中、下の３段で係合溝４２が係合部４１より少し低くかつ長く形成されて、前記下部傾斜面６０には中央から少し右側に偏った位置を基準として所定の間隔を置いて、左側には上、中、下の３段で係合溝６２が形成され、右側には上、中、下の３段で係合部６１が係合溝６２より少し高くかつ短く形成されて、前記上部垂直面５０には中央から少し左側に偏った位置を基準として所定の間隔を置いて、左側には係合部５１が形成されて、右側には係合溝５２が係合部５１より少し低くかつ長く形成されて、下部垂直面７０には中央から少し右側に偏った位置を基準として所定の間隔を置いて、左側には係合溝７２が形成されて、右側には係合部７１が係合溝７２より少し高くかつ短く形成されて、前記上部傾斜面４０右側の係合溝４２と上部垂直面５０右側の係合溝５２中間部分には、係合溝４２、５２に垂直方向に上部突出部８０が係合部４１、５１、６１、７１の高さより高く形成されて、上部傾斜面４０左側の係合部４１と上部垂直面５０左側の係合部５１中間部分には係合部４１、５１に垂直方向に上部挿入溝９０が形成されて、下部傾斜面６０左側の係合溝６２と下部垂直面７０左側の係合溝７２中間部分には、下部突出部８１が係合溝６２、７２に垂直方向に係合部４１、５１、６１、７１の高さより高く形成されて、下部傾斜面６０右側の係合部６１と下部垂直面７０右側の係合部７１中間部分には係合部６１、７１に垂直方向に下部挿入溝９１が形成されることを特徴とすることができる。
【００１１】
また、前記上部フレーム１０と下部フレーム２０が結合されたブロック１００は、横・縦それぞれ６０〜７０ｍｍ、厚さ６〜９ｍｍに形成されることを特徴とすることができる。
【００１２】
また、前記水平突起３０と挿入溝３１の深さは０．８〜１．０ｍｍで同一に形成されることを特徴とすることができる。
【００１３】
また、前記上、下部傾斜面４０、６０の係合溝４２、６２の各溝の深さと前記係合部４１、６１の各部の高さは、それぞれ０．２５〜０．３５ｍｍに形成されることを特徴とすることができる。
【００１４】
また、前記上、下部垂直面５０、７０の係合溝５２、７２の深さと前記係合部５１、７１の高さは、それぞれ０．４〜０．６ｍｍに形成されることを特徴とすることができる。
【００１５】
また、前記突出部８０、８１の高さと挿入溝９０、９１の深さは０．８〜１．０ｍｍに形成されることを特徴とすることができる。
【発明の効果】
【００１６】
本発明は、磁石が内蔵されるブロック玩具のブロック表面に突起と溝形態の構造を形成して、ブロック間の上下接合、垂直接合、水平接合において、各ブロックの表面に形成された突起と溝形態の構造が自然に互いに噛み合いながら、各ブロック間に安定的な接合が行われるようにする効果がある。
【００１７】
特に、本発明は、ブロック間の上下接合、垂直接合、水平接合時の接合が行われる方向ではない横方向から外力が作用しても横方向に全く押されない顕著な効果がある。
【図面の簡単な説明】
【００１８】
【図１】図１は、本発明の表面構造が形成された磁石ブロックの斜視図である。
【図２】図２は、本発明の磁石ブロックの上下接合の斜視図である。
【図３】図３は、本発明の磁石ブロックの垂直接合の斜視図である。
【図４】図４は、本発明の磁石ブロックの水平接合の斜視図である。
【図５】図５ａは、従来の技術による表面構造が形成されたブロックの水平接合後、互いに反対側の方向に押すことを示す図であり、図５ｂは、本発明による表面構造が形成されたブロックの水平接合後、互いに反対側の方向に押すことを示す図である。
【発明を実施するための形態】
【００１９】
以下、本発明の実施例に付いて、添付した図面を参考して詳細に説明する。
【００２０】
図１は、本発明の表面構造が形成された磁石ブロックの斜視図で、図２は、本発明の磁石ブロックの上下接合の斜視図である。
【００２１】
本発明における、磁石が内蔵されるブロック玩具のブロック１００は、上部フレーム１０と下部フレーム２０が結合されて１つのブロックに作られ、中間部分に中空がある正四角形のパネル形態を有し、上部フレーム１０と下部フレーム２０の４つの辺の内部中央には、磁石の回転駆動のための内部空間が確保された磁石装着溝（図示しない）が形成されて、１つの円柱形の磁石、または２つの円柱形の磁石が一列に（図示しない）フレーム１０、２０の縁部の長手方向と平行になるように内蔵される。
【００２２】
前記磁石装着溝に２つの円柱形の磁石が内蔵される場合は、１つの円柱形の磁石が内蔵される場合に比べて、極の数が増えて２つのブロック接合時、互いにより強く引き寄せることになる。
【００２３】
前記上部フレーム１０と下部フレーム２０が結合されたブロック１００は、横・縦それぞれ６０〜７０ｍｍ、厚さ６〜９ｍｍで、中間部分に中空があるパネル形で形成されることが好ましいが、これは横・縦それぞれ６０ｍｍ、厚さ６ｍｍに達しなければ、ブロック玩具のブロックとして小さすぎて、横・縦それぞれ７０ｍｍ、厚さ９ｍｍを超えると、ブロック玩具のブロックとして大きすぎるからである。本実施例で、前記上部フレーム１０と下部フレーム２０が結合されたブロック１００は、横・縦それぞれ６５ｍｍ、厚さ７ｍｍで、中間部分に中空があるパネル形であり、４つの辺の幅はそれぞれ１１ｍｍに形成される。
【００２４】
前記上部フレーム１０の上面１１と下部フレーム２０の下面２１の縁部には一定の間隔を離隔して水平突起３０と挿入溝３１が交互に縁部と平行な方向に備えられて、前記１つのブロックの上部フレーム１０の上面１１の上に他のブロック１つを載せると、下側に位置するブロックの上部フレーム１０の上面１１の水平突起３０がその上に置かれた他のブロックの下部フレーム２０の下面２１の挿入溝３１に挟まれて、下側に位置するブロックの上部フレーム１０の挿入溝３１には、その上に置かれた他のブロックの下部フレーム２０の下面２１の水平突起３０が挟まれるように形成される。
【００２５】
前記水平突起３０と挿入溝３１の深さは０．８〜１．０ｍｍで、同一に形成されることが好ましいが、これは前記水平突起３０と挿入溝３１の深さが０．８ｍｍに達しなければ、水平突起３０と挿入溝３１間の噛合力が弱くなり、前記水平突起３０と挿入溝３１の深さが１．０ｍｍを超えると、水平突起３０があまり高く突き出して、ブロックの使用に不便をもたらすからである。本実施例で、前記水平突起３０の高さと挿入溝３１の深さは０．９ｍｍに形成される。
上記したようなブロックの表面構造は、本発明のブロック間の上下接合に利用されるが、上下接合時の接合が行われる方向ではない横方向から外力が作用しても横方向に全く押されことなく頑丈に接合される。
【００２６】
図３は、本発明の磁石ブロックの垂直接合の斜視図で、図４は、本発明の磁石ブロックの水平接合の斜視図である。
【００２７】
前記上部フレーム１０の縁部から延びて４５°角度下方に上部傾斜面４０が形成され、前記上部傾斜面４０から下向きに延びて上部垂直面５０が形成され、前記下部フレーム２０の縁部から延びて４５°角度上方に下部傾斜面６０が形成され、前記下部傾斜面６０から上向きに延びて下部垂直面７０が形成される。
【００２８】
前記上部傾斜面４０には、中央から少し左側に偏った位置を基準として所定の間隔を置いて、左側には上、中、下の３段で係合部４１が形成され、右側には上、中、下の３段で係合溝４２が係合部４１より少し低くかつ長く形成され、前記下部傾斜面６０には中央から少し右側に偏った位置を基準として所定の間隔を置いて、左側には上、中、下の３段で係合溝６２が形成され、右側には上、中、下の３段で係合部６１が係合溝６２より少し高くかつ短く形成される。
前記上部垂直面５０には、中央から少し左側に偏った位置を基準として所定の間隔を置いて、左側には係合部５１が形成され、右側には係合溝５２が係合部５１より少し低くかつ長く形成され、下部垂直面７０には中央から少し右側に偏った位置を基準として所定の間隔を有し、左側には係合溝７２が形成され、右側には係合部７１が係合溝７２より少し高くかつ短く形成される。
【００２９】
前記上部傾斜面４０右側の係合溝４２と上部垂直面５０右側の係合溝５２の中間部分には、係合溝４２、５２に垂直方向に係合部４１、５１、６１、７１の高さより高く上部突出部８０が形成されて、上部傾斜面４０左側の係合部４１と上部垂直面５０左側の係合部５１の中間部分には、係合部４１、５１に垂直方向に上部挿入溝９０が形成され、下部傾斜面６０左側の係合溝６２と下部垂直面７０左側の係合溝７２の中間部分には係合溝６２、７２に垂直方向に係合部４１、５１、６１、７１の高さより高く下部突出部８１が形成され、下部傾斜面６０右側の係合部６１と下部垂直面７０右側の係合部７１の中間部分には係合部６１、７１に垂直方向に下部挿入溝９１が形成される。
【００３０】
前記上部傾斜面４０と下部傾斜面６０で、前記係合溝４２、６２が係合部４１、６１より少し低くかつ長く形成されて、前記係合部４１、６１が係合溝４２、６２より少し高くかつ短く形成される理由は、係合溝４２、６２に係合部４１、６１が容易に挟まれるようにするためである。
【００３１】
前記係合溝４２、６２が係合部４１、６１より少し低くかつ長く形成され、前記係合溝４２、６２の各溝の深さと前記係合部４１、６１の各部の高さは、それぞれ０．２５〜０．３５ｍｍに形成されることが好ましいが、これは前記係合溝４２、６２の各溝の深さと前記係合部４１、６１の各部の高さがそれぞれ０．２５ｍｍに達しなければ、例えば、上部傾斜面４０の係合部４１と下部傾斜面６０の係合溝６２との間の噛合力があまり弱くなって、前記突出部８０、８１と挿入溝９０、９１も形成されるので、前記係合溝４２、６２の各溝の深さと前記係合部４１、６１の各部の高さがそれぞれ０．３５ｍｍを超えるまで、上部傾斜面４０の係合部４１と下部傾斜面６０の係合溝６２との間の噛合力が強くなるようにする必要はないからである。本実施例で、前記係合部４１、６１の高さは０．３５ｍｍに、前記係合溝４２、６２の深さは０．３ｍｍに形成される。
【００３２】
前記上部垂直面５０と下部垂直面７０で、前記係合溝５２、７２が係合部５１、７１より少し低くかつ長く形成され、前記係合部５１、７１が係合溝５２、７２より少し高くかつ短く形成される理由は、係合溝５２、７２に係合部５１、７１が容易に挟まれるようにするからである。
【００３３】
前記係合溝５２、７２が係合部５１、７１より少し低くかつ長く形成され、前記係合溝５２、７２の深さと前記係合部５１、７１の高さはそれぞれ０．４〜０．６ｍｍに形成されることが好ましい。これは、前記係合溝５２、７２の深さと前記係合部５１、７１の高さが０．４ｍｍに達しなければ、係合溝５２、７２と係合部５１、７１との間の噛合力が弱くなるし、前記突出部８０、８１と挿入溝９０、９１も形成されるので、前記係合溝５２、７２の各溝の深さと前記係合部５１、７１の各部の高さがそれぞれ０．６ｍｍを超過するまでして、係合部５１、７１と係合溝５２、７２との間の噛合力が強くなるようにする必要はないからである。本実施例で、前記係合部５１、７１の高さは０．５５ｍｍに、前記係合溝５２、７２の深さは０．５ｍｍに形成される。
【００３４】
前記突出部８０、８１が係合溝４２、５２、６２、７２の中間部分に形成されて、挿入溝９０、９１が係合部４１、５１、６１、７１の中間部分に形成される理由は、挿入穴９０、９１は形成しても表面に突出するものではないので、突出部８０、８１が挿入される挿入溝９０、９１は係合溝４２、５２、６２、７２より高さが高い係合部４１、５１、６１、７１に形成し、突出部８０、８１は形成すると表面に突出するものであり、突出部８０、８１が過剰に高く形成されると、ブロック玩具の使用が不便になる恐れがあるので、突出部８０、８１は係合部４１、５１、６１、７１よりも高さが低い係合溝４２、５２、６２、７２に形成して、係合部４１、５１、６１、７１より高く形成されても、表面に多く突き出ることのないようにするためのものである。
【００３５】
前記突出部８０、８１の高さと挿入溝９０、９１の深さは０．８〜１．０ｍｍに形成されることが好ましいが、これは前記突出部８０、８１の高さが０．８ｍｍに達しなければ、例えば、上部突出部８０と下部挿入溝９１との間の噛合力があまり弱くなって、前記突出部８０、８１の高さが１．０ｍｍを超過すると、前記突出部８０、８１があまり多く突き出してきて、ブロック玩具の使用に不便をもたらすためである。本実施例で、前記突出部８０、８１と挿入溝９０、９１の深さは０．９ｍｍに形成される。
【００３６】
上記したようなブロックの表面構造は、ブロック間の垂直接合、水平接合に利用されるが、本発明のブロック２つの垂直接合時には、例えば垂直に位置するブロックの上部傾斜面４０の係合部４１、係合溝４２には、水平に位置するブロックの下部傾斜面６０の係合溝６２、係合部６１がそれぞれ互いに噛み合わされ、垂直に位置するブロックの上部突出部８０は、水平に位置するブロックの下部挿入溝９１に挿入されて、垂直に位置するブロックの上部挿入溝９０には、水平に位置するブロックの下部突出部８１が挿入されて、垂直接合時の接合が行われる方向ではない横方向から外力が作用しても、横方向に全く押されなく頑丈に接合される。
【００３７】
本発明のブロック２つの水平接合時には、例えば１つのブロックの下部垂直面７０の係合部７１に、係合溝７２は他のブロックの上部垂直面５０上縁部の係合溝５２、係合部５１にそれぞれ互いに噛み合わされて、１つのブロックの上部垂直面５０右側の上部突出部８０が他のブロックの上部垂直面５０左側の上部挿入溝９０に挿入されて、１つのブロックの下部垂直面７０左側の下部突出部８１が他のブロックの下部垂直面７０右側の下部挿入穴９１に挿入されて、水平接合時の接合が行われる方向ではない横方向から外力が作用しても、横方向に全く押されなく頑丈に接合される。
【００３８】
上記のような構成は、正四角形のパネル形状を有する本発明のブロック１００の４つの辺と縁部にそれぞれ同一に形成される。
【００３９】
本発明によるブロックは、突出部８０、８１が少し突き出てくるが、その高さは１．０ｍｍ以下で、ブロック玩具の使用には不便を与えることなく、ブロック間の上下接合、垂直接合、水平接合が頑丈に行われ、特に接合が行われる方向ではない横方向から外力が作用しても横方向に全く押されない。
【００４０】
図５ａは、従来の技術による表面構造が形成されたブロックの水平接合後、互いに反対側の方向に押すことを示す図面で、図５ｂは、本発明による表面構造が形成されたブロックの水平接合後、互いに反対側の方向に押すことを示す図面である。
【００４１】
従来の技術による表面構造が形成されたブロックを水平接合させた後、２つのブロックを２つの指で掴んで、互いに反対側の方向に軽く押しても簡単に他の側の方向に押されて（図５ａ）、本発明による表面構造が形成されたブロックを水平接合させた後、２つのブロックを両手で掴んで、互いに反対側の方向に力いっぱい押しても、全く押されない（図５ｂ）。
【００４２】
本発明において、ブロックの形状を正四角形にしたが、ブロックの形状がこれに限定されるものではなく、長方形、三角形、六角形、八角形などのように多様な形状のブロックを使用することができる。
【００４３】
以上のように、本発明の実施例に対して説明したが、本発明は説明されて図示された実施例による構成および作用に限定されるのではなく、添付された実用新案登録請求の範囲の思想および範疇を逸脱することなく、本発明に対する多数の変更および修正が可能になるものあるため、そのようなすべての変更および修正と均等物、特にパネル形のブロックの大きさが変わるにつれて突起と溝形態の構造の長さ、高さ、間隔などが変化すること等も本発明の範囲に属すると見なされるべきである。
【符号の説明】
【００４４】
１００：本発明のブロック
１０：上部フレーム
１１：上面
２０：下部フレーム
２１：下面
３０：水平突起
３１：挿入溝
４０：上部傾斜面
４１：係合部
４２：係合溝
５０：上部垂直面
５１：係合部
５２：係合溝
６０：下部傾斜面
６１：係合部
６２：係合溝
７０：下部垂直面
７１：係合部
７２：係合溝
８０：上部突出部
８１：下部突出部
９０：上部挿入溝
９１：下部挿入溝
【図１】
2017119088.tif 000003
【図２】
2017119088.tif 000004
【図３】
2017119088.tif 000005
【図４】
2017119088.tif 000006
【図５】
2017119088.tif 000007